(57)【要約】【課題】ダイカスト装置に適量の反応性ガスを短時間で精度良く繰り返し供給することができる反応性ガス供給装置、無孔性ダイカストシステムおよび無孔性ダイカスト製品の製造方法を提供する。【解決手段】反応性ガス供給装置（２０）は、ガス供給源（２１）と、ガス供給源からダイカスト装置（１０）への反応性ガスの供給を制御する制御部（２２）と、ガス供給源からダイカスト装置へのガス流路の途中に設けられ、所定の容積を有する容積室（２３）と、容積室内の圧力を検出する圧力センサ（２４）と、ガス流路において容積室の前段および後段に設けられた第１バルブ（２５）および第２バルブ（２６）とを備える。制御部は、圧力センサによって検出された容積室内の圧力に基づいて第１バルブおよび第２バルブの開閉状態を調整することによって、ガス供給源から容積室を経由したダイカスト装置への反応性ガスの供給を制御する。【選択図】図１
2015100816.tif 000002
【特許請求の範囲】
【請求項１】
ダイカスト装置に反応性ガスを供給する反応性ガス供給装置であって、
ガス供給源と、
前記ガス供給源から前記ダイカスト装置への前記反応性ガスの供給を制御する制御部と、
前記ガス供給源から前記ダイカスト装置へのガス流路の途中に設けられ、所定の容積を有する容積室と、
前記容積室内の圧力を検出する圧力センサと、
前記ガス流路において前記容積室の前段に設けられた第１バルブと、
前記ガス流路において前記容積室の後段に設けられた第２バルブと、
を備え、
前記制御部は、前記圧力センサによって検出された前記容積室内の圧力に基づいて前記第１バルブおよび前記第２バルブの開閉状態を調整することによって、前記ガス供給源から前記容積室を経由した前記ダイカスト装置への前記反応性ガスの供給を制御する反応性ガス供給装置。
【請求項２】
前記第１バルブが開き、且つ、前記第２バルブが閉じている状態において、前記容積室内の圧力が、前記ダイカスト装置側の圧力よりも高い所定の圧力になるまで前記ガス供給源から前記容積室への前記反応性ガスの供給を行い、その後、前記第１バルブが閉じ、且つ、前記第２バルブが開いている状態において、前記容積室と前記ダイカスト装置側との差圧を利用して前記容積室から前記ダイカスト装置への前記反応性ガスの供給を行い得る請求項１に記載の反応性ガス供給装置。
【請求項３】
前記反応性ガスは酸素ガスである請求項１または２に記載の反応性ガス供給装置。
【請求項４】
固定金型および可動金型と、前記固定金型および前記可動金型により規定されるキャビティに連通する射出スリーブとを有するダイカスト装置と、
前記ダイカスト装置に反応性ガスを供給する請求項１から３のいずれかに記載の反応性ガス供給装置と、
を備えた無孔性ダイカストシステム。
【請求項５】
前記制御部は、前記射出スリーブへの溶湯の注入が完了した後に前記ダイカスト装置への前記反応性ガスの供給が開始されるように制御を行う請求項４に記載の無孔性ダイカストシステム。
【請求項６】
ダイカスト装置と、前記ダイカスト装置に反応性ガスを供給する反応性ガス供給装置とを備えた無孔性ダイカストシステムを用いた無孔性ダイカスト製品の製造方法であって、
前記ダイカスト装置の固定金型および可動金型によりキャビティが規定されるように型締めを行う工程（Ａ）と、
前記キャビティに連通する射出スリーブに溶湯を注入する工程（Ｂ）と、
前記射出スリーブ内に、前記反応性ガス供給装置により反応性ガスを供給する工程（Ｃ）と、
前記射出スリーブから前記キャビティに前記溶湯を射出する工程（Ｄ）と、
を包含し、
前記工程（Ｃ）の前に、前記反応性ガス供給装置のガス供給源から前記ダイカスト装置へのガス流路の途中に設けられた容積室内の圧力が前記ダイカスト装置側の圧力よりも高い所定の圧力になるように、前記ガス供給源から前記容積室に前記反応性ガスを供給する工程（Ｅ）をさらに包含し、
前記工程（Ｃ）において、前記容積室と前記ダイカスト装置側との差圧を利用して前記容積室から前記ダイカスト装置に前記反応性ガスが供給される無孔性ダイカスト製品の製造方法。
【請求項７】
前記工程（Ｃ）は、前記工程（Ｂ）の後に行われる請求項６に記載の無孔性ダイカスト製品の製造方法。
【請求項８】
前記工程（Ｅ）は、前記ガス流路において前記容積室の前段に設けられた第１バルブが開き、且つ、前記ガス流路において前記容積室の後段に設けられた第２バルブが閉じている状態において行われ、
前記工程（Ｃ）は、前記第１バルブが閉じ、且つ、前記第２バルブが開いている状態において行われる請求項６または７に記載の無孔性ダイカスト製品の製造方法。
【請求項９】
前記反応性ガスは酸素ガスである請求項６から８のいずれかに記載の無孔性ダイカスト製品の製造方法。
【発明の詳細な説明】
【技術分野】
【０００１】
本発明は、ダイカスト装置に反応性ガスを供給する反応性ガス供給装置に関する。また、本発明は、そのような反応性ガス供給装置を備えた無孔性ダイカストシステムや、無孔性ダイカスト製品の製造方法にも関する。
【背景技術】
【０００２】
近年、高品質なアルミニウム合金製ダイカスト製品を製造する手法として、無孔性（Pore Free）ダイカスト法が提案されている（例えば特許文献１）。無孔性ダイカスト法では、溶湯を射出する前に金型内の空気を反応性ガス（例えば酸素）で置換しておき、射出されたアルミニウム合金と反応性ガスとを反応させることにより、空気の巻き込みによる鋳巣を（つまりダイカスト製品中のガス含有量を）少なくすることができる。無孔性ダイカスト法により製造されたダイカスト製品（無孔性ダイカスト製品）は、鋳巣が少ないので、耐圧部品に好適に用いられる。また、無孔性ダイカスト製品は、ガス含有量が少ないので、一般的なダイカスト製品では行うことのできない熱処理や溶接が可能となる。
【先行技術文献】
【特許文献】
【０００３】
【特許文献１】特公昭５８−４６３８５号公報
【発明の概要】
【発明が解決しようとする課題】
【０００４】
無孔性ダイカスト法では、適量の反応性ガスを短時間で（例えば１０Ｌ以上／秒）金型内に供給することが好ましく、そのためには、反応性ガスの供給を、積算流量計を用いて正確に制御する必要がある。しかしながら、一般的な積算流量計では、上記のような流量を短時間で計測できるものはない（スキャンタイムが長く、計測できる最大流量も少ない）。そのため、現状では、金型内に適量の反応性ガスを短時間で精度良く繰り返し供給することができず、そのことがサイクルタイムを短縮できない原因となっている。
【０００５】
本発明は、上記問題に鑑みてなされたものであり、その目的は、ダイカスト装置に適量の反応性ガスを短時間で精度良く繰り返し供給することができる反応性ガス供給装置、無孔性ダイカストシステムおよび無孔性ダイカスト製品の製造方法を提供することにある。
【課題を解決するための手段】
【０００６】
本発明による反応性ガス供給装置は、ダイカスト装置に反応性ガスを供給する反応性ガス供給装置であって、ガス供給源と、前記ガス供給源から前記ダイカスト装置への前記反応性ガスの供給を制御する制御部と、前記ガス供給源から前記ダイカスト装置へのガス流路の途中に設けられ、所定の容積を有する容積室と、前記容積室内の圧力を検出する圧力センサと、前記ガス流路において前記容積室の前段に設けられた第１バルブと、前記ガス流路において前記容積室の後段に設けられた第２バルブと、を備え、前記制御部は、前記圧力センサによって検出された前記容積室内の圧力に基づいて前記第１バルブおよび前記第２バルブの開閉状態を調整することによって、前記ガス供給源から前記容積室を経由した前記ダイカスト装置への前記反応性ガスの供給を制御する。
【０００７】
ある実施形態において、本発明による反応性ガス供給装置は、前記第１バルブが開き、且つ、前記第２バルブが閉じている状態において、前記容積室内の圧力が、前記ダイカスト装置側の圧力よりも高い所定の圧力になるまで前記ガス供給源から前記容積室への前記反応性ガスの供給を行い、その後、前記第１バルブが閉じ、且つ、前記第２バルブが開いている状態において、前記容積室と前記ダイカスト装置側との差圧を利用して前記容積室から前記ダイカスト装置への前記反応性ガスの供給を行い得る。
【０００８】
ある実施形態において、前記反応性ガスは酸素ガスである。
【０００９】
本発明による無孔性ダイカストシステムは、固定金型および可動金型と、前記固定金型および前記可動金型により規定されるキャビティに連通する射出スリーブとを有するダイカスト装置と、前記ダイカスト装置に反応性ガスを供給する、上述した構成を有する反応性ガス供給装置と、を備える。
【００１０】
ある実施形態において、前記制御部は、前記射出スリーブへの溶湯の注入が完了した後に前記ダイカスト装置への前記反応性ガスの供給が開始されるように制御を行う。
【００１１】
本発明による無孔性ダイカスト製品の製造方法は、ダイカスト装置と、前記ダイカスト装置に反応性ガスを供給する反応性ガス供給装置とを備えた無孔性ダイカストシステムを用いた無孔性ダイカスト製品の製造方法であって、前記ダイカスト装置の固定金型および可動金型によりキャビティが規定されるように型締めを行う工程（Ａ）と、前記キャビティに連通する射出スリーブに溶湯を注入する工程（Ｂ）と、前記射出スリーブ内に、前記反応性ガス供給装置により反応性ガスを供給する工程（Ｃ）と、前記射出スリーブから前記キャビティに前記溶湯を射出する工程（Ｄ）と、を包含し、前記工程（Ｃ）の前に、前記反応性ガス供給装置のガス供給源から前記ダイカスト装置へのガス流路の途中に設けられた容積室内の圧力が前記ダイカスト装置側の圧力よりも高い所定の圧力になるように、前記ガス供給源から前記容積室に前記反応性ガスを供給する工程（Ｅ）をさらに包含し、前記工程（Ｃ）において、前記容積室と前記ダイカスト装置側との差圧を利用して前記容積室から前記ダイカスト装置に前記反応性ガスが供給される。
【００１２】
ある実施形態において、前記工程（Ｃ）は、前記工程（Ｂ）の後に行われる。
【００１３】
ある実施形態において、前記工程（Ｅ）は、前記ガス流路において前記容積室の前段に設けられた第１バルブが開き、且つ、前記ガス流路において前記容積室の後段に設けられた第２バルブが閉じている状態において行われ、前記工程（Ｃ）は、前記第１バルブが閉じ、且つ、前記第２バルブが開いている状態において行われる。
【００１４】
ある実施形態において、前記反応性ガスは酸素ガスである。
【発明の効果】
【００１５】
本発明によると、ダイカスト装置に適量の反応性ガスを短時間で精度良く繰り返し供給することができる反応性ガス供給装置、無孔性ダイカストシステムおよび無孔性ダイカスト製品の製造方法が提供される。
【図面の簡単な説明】
【００１６】
【図１】本発明の実施形態による無孔性ダイカストシステム１００を模式的に示す図である。
【図２】（ａ）および（ｂ）は、ダイカスト装置１０の具体的な構成の一例を示す図であり、（ａ）は型開きされた状態に対応し、（ｂ）は、型締めされた状態に対応する。
【図３】反応性ガス供給装置２０による差圧供給を説明するための図である。
【図４】（ａ）〜（ｆ）は、本発明の実施形態による無孔性ダイカスト製品の製造方法を模式的に示す工程断面図である。
【図５】本発明の実施形態による無孔性ダイカスト製品の製造方法のフローチャートである。
【図６】（ａ）〜（ｅ）は、本発明の実施形態による無孔性ダイカスト製品の製造方法を模式的に示す工程断面図である。
【図７】本発明の実施形態による無孔性ダイカスト製品の製造方法のフローチャートである。
【発明を実施するための形態】
【００１７】
以下、図面を参照しながら本発明の実施形態を説明する。なお、本発明は以下の実施形態に限定されるものではない。
【００１８】
図１に、本実施形態における無孔性ダイカストシステム１００を示す。無孔性ダイカストシステム１００は、図１に示すように、ダイカスト装置１０と、ダイカスト装置１０に反応性ガスを供給する反応性ガス供給装置２０とを備える。ダイカスト装置１０に供給される反応性ガスは、典型的には、酸素（Ｏ2）ガスである。ただし、反応性ガスはこれに限定されるものではない。
【００１９】
反応性ガス供給装置２０は、ガス供給源２１、制御部２２および容積室２３を備える。本実施形態における反応性ガス供給装置２０は、さらに、圧力センサ２４、第１バルブ２５および第２バルブ２６を備える。
【００２０】
ガス供給源２１は、例えば、反応性ガスが貯蔵されたガスボンベである。
【００２１】
制御部２２は、ガス供給源２１からダイカスト装置１０への反応性ガスの供給を制御する。制御部２２は、例えば、シーケンサまたはＰＬＣ（Programmable Logic Controller）と呼ばれるコントローラにより構成される。
【００２２】
容積室２３は、ガス供給源２１からダイカスト装置１０へのガス流路の途中に設けられており、所定の容積を有する。容積室２３の容積は、典型的には、５Ｌ〜１５Ｌ程度である。容積室２３は、例えば、ガス流路を規定する配管とは別個に用意されたタンク（容器）である。
【００２３】
圧力センサ２４は、容積室２３内の圧力を検出する。圧力センサ２４としては、公知の種々のタイプの圧力検出素子を用いることができる。
【００２４】
第１バルブ２５は、ガス流路において容積室２３の前段に設けられている。これに対し、第２バルブ２６は、ガス流路において容積室２３の後段に設けられている。第１バルブ２５および第２バルブ２６のそれぞれとして、例えば電磁弁を好適に用いることができる。
【００２５】
制御部２２は、具体的には、圧力センサ２４によって検出された容積室２３内の圧力に基づいて第１バルブ２５および第２バルブ２６の開閉状態を調整することによって、ガス供給源２１から容積室２３を経由したダイカスト装置１０への反応性ガスの供給を制御する。
【００２６】
図２（ａ）および（ｂ）に、ダイカスト装置１０の具体的な構成の一例を示す。図２（ａ）は、ダイカスト装置１０の型開きされた状態を模式的に示す図であり、図２（ｂ）は、ダイカスト装置１０の型締めされた状態を模式的に示す図である。
【００２７】
ダイカスト装置１０は、図２（ａ）および（ｂ）に示すように、固定金型１１および可動金型１２と、射出スリーブ１３とを有する。図２（ｂ）に示すように、型締め状態において固定金型１１と可動金型１２との間に形成される空間が、キャビティ１０ｃである。射出スリーブ１３は、固定金型１１および可動金型１２により規定されるこのキャビティ１０ｃに連通している。射出スリーブ１３の一部には、溶湯を注入するための開口部（注湯口）１３ａが形成されている。ダイカスト装置１０は、さらに、注湯口１３ａから射出スリーブ１３内に注入された溶湯を射出するためのプランジャ１４を有する。
【００２８】
上述したように、本実施形態における反応性ガス供給装置２０は、ガス流路の途中に設けられた所定の容積を有する容積室２３を備える。このことにより、後述するような差圧を利用した反応性ガスの供給を行うことが可能になる。そのため、本実施形態の反応性ガス供給装置２０は、ダイカスト装置１０に適量の反応性ガスを短時間で精度良く繰り返し供給することができる。以下、反応性ガス供給装置２０による、差圧を利用した反応性ガスの供給（以下では「差圧充填」とも呼ぶ）の仕方を具体的に説明する。
【００２９】
差圧充填を行うに際しては、反応性ガス供給装置２０は、まず、第１バルブ２５が開き、且つ、第２バルブ２６が閉じている状態において、容積室２３内の圧力Ｐ1が、ダイカスト装置１０側の圧力Ｐ2よりも高い所定の圧力Ｐ’になるまでガス供給源２１から容積室２３への反応性ガスの供給を行う。そしてその後、反応性ガス供給装置２０は、第１バルブ２５が閉じ、且つ、第２バルブ２６が開いている状態において、容積室２３とダイカスト装置１０側との差圧を利用して容積室２３からダイカスト装置１０への反応性ガスの供給を行う。容積室２３の容量をＶとすると、このとき、ダイカスト装置１０へは、容量Ｖと圧力差（Ｐ’−Ｐ2）との積に対応した量の反応性ガスが供給されることになる。
【００３０】
図３に、上述した差圧充填の一例を示す。まず、図３の上段に示すように、容量１０Ｌの容積室２３内の圧力Ｐ1が０．３ＭＰａになったときの容積室２３内の反応性ガスの量は、３０ＮＬ相当である。また、このとき、第１バルブ２５および第２バルブ２６はいずれも閉じている。
【００３１】
次に、図３の中段に示すように、第１バルブ２５を開き、容積室２３内の圧力Ｐ1が０．５ＭＰａになるまで反応性ガスの供給を続け、容積室２３へのガスチャージを行う。容積室２３内の圧力Ｐ1が０．５ＭＰａになったときの容積室２３内の反応性ガスの量は、５０ＮＬ相当である。また、このとき、第２バルブ２６は閉じているので、ダイカスト装置１０側の圧力Ｐ2は容積室２３内の圧力Ｐ1よりも低い。
【００３２】
その後、図３の下段に示すように、第１バルブ２５を閉じるとともに第２バルブ２６を開き、差圧を利用して容積室２３からダイカスト装置１０側への反応性ガスの供給を行う。反応性ガスの供給は、容積室２３内の圧力Ｐ1が０．３ＭＰａになるまで続けられる。容積室２３内の圧力Ｐ1が０．３ＭＰａになったときの容積室２３内の反応性ガスの量は、３０ＮＬ相当であるので、容積室２３からダイカスト装置１０側へ供給された反応性ガスの量は、約２０Ｌである。差圧を利用した反応性ガスの供給は、比較的短時間（例えば１秒）で行うことができる。なお、反応性ガスの供給量は、容量Ｖと圧力差（Ｐ’−Ｐ2）との積に厳密には一致しないことも考えられるが、その場合には、容量Ｖと圧力差（Ｐ’−Ｐ2）との積に所定の補正係数（例えばここでは０．９５）を乗じた値を、反応性ガスの供給量として見積もればよい。補正係数は、ダイカスト装置１０の配管の残圧や大気圧などによる実量差を考慮して決定される。
【００３３】
上述したことからわかるように、本実施形態の反応性ガス供給装置２０では、容積室２３を利用した差圧充填により、ダイカスト装置１０に適量の反応性ガスを短時間で精度良く繰り返し供給することができる。
【００３４】
後述するように、制御部２２は、射出スリーブ１３への溶湯の注入が完了した後に差圧充填（差圧を利用したダイカスト装置１０への反応性ガスの供給）が開始されるように制御を行うことが好ましい。このような制御により、サイクルタイムのいっそうの短縮を図ることができる。
【００３５】
本実施形態における無孔性ダイカストシステム１００は、例えば、アルミニウム合金製の無孔性ダイカスト製品の製造に好適に用いられる。勿論、本実施形態における無孔性ダイカストシステム１００は、他の金属材料からなる無孔性ダイカスト製品の製造に用いられてもよい。
【００３６】
続いて、図４および図５を参照しながら、本実施形態における無孔性ダイカストシステム１００を用いた無孔性ダイカスト製品の製造方法を説明する。図４（ａ）〜（ｆ）は、本実施形態の製造方法を模式的に示す工程断面図であり、図５は、本実施形態の製造方法のフローチャートである。
【００３７】
図４（ａ）は、型開きされた状態のダイカスト装置１０を示しており、ダイカスト装置１０は、既に説明したように、固定金型１１、可動金型１２、射出スリーブ１３およびプランジャ１４を有する。
【００３８】
まず、図４（ｂ）に示すように、ダイカスト装置１０の固定金型１１および可動金型１２によりキャビティが規定されるように型締めを行い、その後、射出スリーブ１３内に、反応性ガス供給装置２０により反応性ガスｒｇを供給する。より具体的には、まず、型締めを開始し（ステップＳ１）、次に、プランジャ１４を前進させて中間位置（注湯口１３ａを塞ぐ位置）で停止させる（ステップＳ２）。続いて、可動金型１２が固定金型１１にタッチすると（ステップＳ３）、差圧充填を開始し（ステップＳ４）、完了させる（ステップＳ５）。ここで、差圧充填とは、既に説明したように、容積室２３とダイカスト装置１０側との差圧を利用した容積室２３からダイカスト装置１０への反応性ガスｒｇの供給である。差圧充填は、第１バルブ２５が閉じ、且つ、第２バルブ２６が開いている状態において行われる。差圧充填により、射出スリーブ１３内およびキャビティ１０ｃ内は、高濃度の反応性ガス雰囲気となる。また、このとき、キャビティ１０ｃ内に存在していた低濃度の反応性ガスｒｇは、図４（ｂ）に示すように、チルベントｃｖから排出される。
【００３９】
次に、図４（ｃ）に示すように、キャビティ１０ｃに連通する射出スリーブ１３に溶湯ｍｍを注入する。より具体的には、まず、プランジャ１４を後退させ（ステップＳ６）、その後、注湯口１３ａから溶湯ｍｍの注入を行う（ステップＳ７）。
【００４０】
続いて、図４（ｄ）、（ｅ）および（ｆ）に順次示すように、射出スリーブ１３からキャビティ１０ｃに溶湯ｍｍを射出する。より具体的には、まず、図４（ｄ）に示すように、プランジャ１４を低速で前進させることにより低速で溶湯ｍｍの射出を行い（ステップＳ８）、続いて、図４（ｅ）および（ｆ）に示すように、プランジャ１４の前進を高速に切り替えて高速で溶湯ｍｍの射出を行う（ステップＳ９）。
【００４１】
次に、ガスチャージを開始し（ステップＳ１０）、完了させる（ステップＳ１１）。ここで、ガスチャージとは、既に説明したように、容積室２３内の圧力Ｐ1がダイカスト装置１０側の圧力Ｐ2よりも高い所定の圧力Ｐ’になるように、ガス供給源２１から容積室２３に反応性ガスｒｇを供給することである。ガスチャージは、第１バルブ２５が開き、且つ、第２バルブ２６が閉じている状態において行われる。
【００４２】
その後、型開きが行われて製品の取り出しが行われる。そして、上記の工程が繰り返し行われる。
【００４３】
上述したようにして、無孔性ダイカスト製品の製造を繰り返し行うことができる。本実施形態における無孔性ダイカスト製品の製造方法では、射出スリーブ１３内に反応性ガス供給装置２０により反応性ガスを供給する工程が、上述したような差圧充填により行われるので、ダイカスト装置１０に適量の反応性ガスを短時間で精度良く繰り返し供給することが可能となる。そのため、サイクルタイムを短縮することができる。また、使用する反応性ガスの量を減らすことができるので、そのことによって製造コストを低減させることもできる。
【００４４】
なお、図４および図５を参照しながら説明した例（以下では「フロー（i）」とも呼ぶ）。では、差圧充填が射出スリーブ１３に溶湯ｍｍを注入する工程の前に行われるが、差圧充填を、射出スリーブ１３に溶湯ｍｍを注入する工程の後に行ってもよい。以下、このような例（以下では「フロー（ii）」とも呼ぶ。）を、図６および図７を参照しながら説明する。図６（ａ）〜（ｅ）は、本実施形態の製造方法を模式的に示す工程断面図であり、図７は、本実施形態の製造方法のフローチャートである。図６（ａ）は、型開きされた状態のダイカスト装置１０を示している。
【００４５】
まず、図６（ｂ）に示すように、ダイカスト装置１０の固定金型１１および可動金型１２によりキャビティが規定されるように型締めを行い、その後、キャビティ１０ｃに連通する射出スリーブ１３に溶湯ｍｍを注入する。より具体的には、まず、型締めを開始し（ステップＳ２１）、次に、可動金型１２が固定金型１１にタッチすると、注湯口１３ａから溶湯ｍｍの注入を行う（ステップＳ２２）。
【００４６】
次に、図６（ｃ）に示すように、射出スリーブ１３内に、反応性ガス供給装置２０により反応性ガスｒｇを供給する。より具体的には、まず、プランジャ１４を差圧充填開始位置（注湯口１３ａを塞ぐ位置）まで前進させ（ステップＳ２３）、続いて、差圧充填を開始し（ステップＳ２４）、完了させる（ステップＳ２５）。
【００４７】
続いて、図６（ｄ）および（ｅ）に順次示すように、射出スリーブ１３からキャビティ１０ｃに溶湯ｍｍを射出する。より具体的には、まず、プランジャ１４を低速で前進させることにより低速で溶湯ｍｍの射出を行い（ステップＳ２６）、続いて、図６（ｄ）および（ｅ）に示すように、プランジャ１４の前進を高速に切り替えて高速で溶湯ｍｍの射出を行う（ステップＳ２７）。この過程で、キャビティ１０ｃ内に存在していた低濃度の反応性ガスｒｇは、図６（ｃ）および（ｄ）に示すように、チルベントｃｖから排出される。
【００４８】
次に、ガスチャージを開始し（ステップＳ２８）、完了させる（ステップＳ２９）。
【００４９】
その後、型開きが行われて製品の取り出しが行われる。そして、上記の工程が繰り返し行われる。
【００５０】
このようにしても、ダイカスト製品の製造を繰り返し行うことができる。図６および図７を参照しながら説明した例では、差圧充填は、射出スリーブ１３に溶湯ｍｍを注入する工程の後に行われる。この場合、中間位置に停止していたプランジャ１４を後退させる工程を省略することができるので、サイクルタイムのいっそうの短縮が可能になる。差圧充填とフロー（ii）とを組み合わせて用いると、サイクルタイムのうちの反応性ガス供給に要する時間を、従来の製造方法（反応性ガスの供給に差圧充填を利用しない）に比べ、例えば約８５％（例えば８．５秒から１．３秒に）短縮することができる。また、フロー（i）では、注湯時に反応性ガスｒｇが溶湯と反応することにより、射出スリーブ１３内の反応性ガスｒｇの濃度が低下することがある。これに対し、フロー（ii）では、溶湯と反応性ガスｒｇが接触する時間を短くすることができるので、上述したような反応性ガスｒｇの濃度低下を抑制することができる。なお、差圧充填を利用しない従来の反応性ガスｒｇの供給方法では、フロー（ii）を採用することは難しい。従来の方法では、射出スリーブ１３内への反応性ガスｒｇの供給を短時間で行うことが難しいので、溶湯の温度が低下しすぎてしまうおそれがあるからである。これに対し、本実施形態のように差圧充填を利用すると、短時間で反応性ガスｒｇの供給を行うことができるので、フロー（ii）を好適に用いることができる。
【００５１】
また、上述したフロー（i）および（ii）では、ダイカスト装置１０への反応性ガスの供給は、射出スリーブ１３側から行われるが（図４（ｂ）および図６（ｃ）参照）、チルベントｃｖ側にバルブを設け、そちら側（チルベント側）から反応性ガスの供給を行ってもよい。
【００５２】
続いて、本実施形態の製造方法により実際にダイカスト製品を製造し、その評価を行った結果を説明する。
【００５３】
下記表１に、本実施形態の製造方法により製造したダイカスト部品（実施例１〜４）について、そのガス含有量（ｃｃ／製品１００ｇ）およびサイクルタイム（秒）を示す。なお、実施例１〜４のダイカスト部品を製造する際には、上述したフロー（ii）を採用した。また、ガス含有量の測定は、市販のガス分析装置により行った。さらに、表１には、キャビティ内の空気を反応性ガスで置換せずに製造した比較例１および２と、反応性ガスの供給を従来の方法で（つまり差圧充填を利用せずに）行って製造した比較例３および４についても、そのガス含有量およびサイクルタイムを示している。
【００５４】
【表１】
2015100816.tif 000003
【００５５】
表１からわかるように、比較例１および２では、サイクルタイムは２９．５秒と短いものの、ガス含有量が多い。また、比較例３および４では、ガス含有量は少ないものの、サイクルタイムが３８．０秒と長い（比較例１および２よりも８．５秒長い）。
【００５６】
これに対し、実施例１〜４では、ガス含有量が少なく、且つ、サイクルタイムも３０．８秒と短い。このように、実施例１〜４では、比較例３および４に比べてサイクルタイムが７．２秒短縮されており、反応性ガスによる置換を行わない比較例１および２とほぼ同等のサイクルタイムが実現されている。
【００５７】
下記表２に、本実施形態の製造方法により製造した別のダイカスト部品（実施例５〜１０）について、そのガス含有量（ｃｃ／製品１００ｇ）およびサイクルタイム（秒）を示す。なお、実施例５〜８のダイカスト部品を製造する際には、上述したフロー（i）を採用し、実施例９および１０のダイカスト部品を製造する際には、上述したフロー（ii）を採用した。さらに、表２には、キャビティ内の空気を反応性ガスで置換せずに製造した比較例５と、反応性ガスの供給を従来の方法で（つまり差圧充填を利用せず）行って製造した比較例６および７についても、そのガス含有量およびサイクルタイムを示している。
【００５８】
【表２】
2015100816.tif 000004
【００５９】
表２からわかるように、比較例５では、サイクルタイムは２５．５秒と短いものの、ガス含有量が多い。また、比較例６および７では、ガス含有量は少ないものの、サイクルタイムが３２．５秒と長い（比較例５よりも７．０秒長い）。
【００６０】
これに対し、実施例５〜８では、ガス含有量が少なく、且つ、サイクルタイムも２９．２秒と短い。このように、実施例５〜８では、比較例６および７に比べてサイクルタイムが３．３秒短縮されている。また、実施例９および１０でも、ガス含有量が少なく、且つ、サイクルタイムは２７．０秒とさらに短い。このように、実施例９および１０では、比較例６および７に比べてサイクルタイムが５．５秒短縮されている。また、上記の結果からわかるように、フロー（ii）の採用により、フロー（i）の採用した場合よりもいっそうサイクルタイムを短縮し得ることがわかる。
【産業上の利用可能性】
【００６１】
本発明によると、ダイカスト装置に適量の反応性ガスを短時間で精度良く繰り返し供給することができる反応性ガス供給装置、無孔性ダイカストシステムおよび無孔性ダイカスト製品の製造方法が提供される。本発明による無孔性ダイカストシステムおよび無孔性ダイカスト製品の製造方法は、エンジン部品をはじめとする各種のダイカスト製品の製造に好適に用いられる。
【符号の説明】
【００６２】
１０    ダイカスト装置
１１    固定金型
１２    可動金型
１３    射出スリーブ
１３ａ    注湯口
１４    プランジャ
２０    反応性ガス供給装置
２１    ガス供給源
２２    制御部
２３    容積室
２４    圧力センサ
２５    第１バルブ
２６    第２バルブ
１００    無孔性ダイカストシステム
ｒｇ    反応性ガス
ｍｍ    溶湯
ｃｖ    チルベント
【図１】
2015100816.tif 000005
【図２】
2015100816.tif 000006
【図３】
2015100816.tif 000007
【図４】
2015100816.tif 000008
【図５】
2015100816.tif 000009
【図６】
2015100816.tif 000010
【図７】
2015100816.tif 000011